(57)【要約】【課題】箱体本体及び扉体の強度を確保して板材の板厚を薄くし、以って箱体本体及び扉体の軽量化及び材料コストの低減が図れ、また、接合部の箱体本体の内側への突出量が小さく、更に、切断面が露出しないので錆が生じにくいし、怪我が防止できて安全性が向上する機器収納用箱体を提供する。【解決手段】機器収納用箱体１は箱体本体２と扉体３とで成り、箱体本体２は背面板４と左右側面板５，５を一体に形成した本体６に上面板７と底面板８を接合して形成し、これらの接合部は一方の板材の端縁部だけをヘミング曲げして溶接し、また、接合部を除く端縁部は内側にヘミング曲げしている。そして、扉体３も全ての端縁部を内側にヘミング曲げしている。【選択図】図２
2007019266.tif 000002
【特許請求の範囲】
【請求項１】
複数の板材を接合して前面を開口した形状に形成される箱体本体と、該箱体本体の前面開口を開閉自在に閉塞する扉体とで構成された機器収納用箱体において、前記箱体本体の板材同士の接合部は一方側の板材の端縁部だけをヘミング曲げして接合し、前記接合部を除く前記箱体本体と前記扉体の全ての端縁部を内側にヘミング曲げしたことを特徴とする機器収納用箱体。
【発明の詳細な説明】
【技術分野】
【０００１】
本発明は、電気機器や通信機器などを収納する機器収納用箱体に関する。
【背景技術】
【０００２】
従来の電気機器や通信機器などを収納するための機器収納用箱体は、前面を開口した箱体本体と、この箱体本体の前面開口を開閉自在に閉塞する扉体とで構成している。箱体本体は複数の金属製板材を接合して形成され、接合構造としては、例えば、特許文献１に示すように、一方の板材の端縁部に己字形の受部を形成し、他方の板材の端縁部に受部の段差面と対応する突き合わせ用の段差面を有する挿入片を形成し、これら両方の先端をヘミング曲げして受部に挿入片を挿入した際に互いにヘミング部の先端に係合することにより、溶接せずに接合するようになっている。また、箱体本体の開口部や扉体は端縁部が切断されたままで露出していた。
【０００３】
【特許文献１】実用新案登録第２５１７３８２号公報
【発明の開示】
【発明が解決しようとする課題】
【０００４】
このように、従来の電気機器収納用箱体は接合部が突き合わせのために段差面を有して形成しているため、箱体本体の内側への突出量が大きいという欠点があった。また、箱体本体及び扉体は自重によって変形しないように強度を確保するためには板厚を大きくしなければならず、従って材料コストがかかるとともに重量が大きくなるという欠点があった。また、箱体本体の開口や扉体などの端縁部は切断面が露出しているので錆が発生しやすいし、怪我をする虞があった。
【課題を解決するための手段】
【０００５】
本発明は、複数の板材を接合して前面を開口した形状に形成される箱体本体と、箱体本体の前面開口を開閉自在に閉塞する扉体とで構成された機器収納用箱体において、箱体本体の板材同士の接合部は一方側の板材の端縁部だけをヘミング曲げして接合し、接合部を除く箱体本体と扉体の全ての端縁部を内側にヘミング曲げしたことを特徴とする。
【発明の効果】
【０００６】
本発明によれば、箱体本体及び扉体の板厚を薄くしても強度を確保でき、板厚を薄くすることで箱体本体及び扉体の軽量化及び材料コストの低減が図れ、また、接合部における箱体本体の内側への突出量が小さく、更に、切断面が露出しないので錆が生じにくいし、怪我が防止できて安全性が向上するという効果がある。
【発明を実施するための最良の形態】
【０００７】
複数の板材を接合して前面を開口した形状に形成される箱体本体と、箱体本体の前面開口を開閉自在に閉塞する扉体とで構成された機器収納用箱体において、箱体本体の板材同士の接合部は一方側の板材の端縁部だけをヘミング曲げして接合し、接合部を除く箱体本体と扉体の全ての端縁部を内側にヘミング曲げする。
【実施例１】
【０００８】
本発明に係る機器収納用箱体の実施例１を図１〜図７の添付図面に基づいて説明する。
【０００９】
機器収納用箱体１は金属製板材により形成され、前面を開口した箱体本体２と、この箱体本体２の前面開口を開閉自在に閉塞する扉体３とで構成されている。箱体本体２は背面板４と左右側面板５，５を一体に形成した本体６に上面板７と底面板８を接合して形成されている。
【００１０】
本体６は背面板４を形成する矩形状の板材の左右両辺を前面側に折曲して左右側面板５，５を形成して前面端縁は内側に垂直に折曲形成されている。また、上面板７及び底面板８は矩形状板材の４辺を内側に垂直に折曲形成され、隣接する２辺は溶接されている。そして、上面板７、底面板８、本体６の前面側の端縁は内側にヘミング曲げされ、このヘミング部９は外側方向に２度折曲されて水切り片１０を形成している。
【００１１】
このように形成された各部材を接合するために、上面板７と本体６の上端部の接合部、及び本体６の下端部と底面板８の接合部は、上面板７と本体６の下端部の前面側を除く３辺を内側にヘミング曲げし、ヘミング部１１，１２の先端を更にヘアピン状に折り返して他方の板材が挿入される受部１３，１４を形成し、また、本体６の上端部は上面板７のヘミング部１１の厚みに対応して段曲げ部１５を形成している。そして、上面板７と本体６の上端部の接合部は段曲げ部１５より先端側の挿入片１６を受部１３に挿入し、段曲げ部１５をヘミング部１１に当接させて溶接し、本体６の下端部と底面板８の接合部は先端の挿入片１７を受部１４に挿入して溶接している。それから、隣接する水切り片１０の端縁部同士を溶接することにより箱体本体２を形成している。このように、一方側の板材の端縁部だけをヘミング曲げしたことにより接合部は箱体本体２の内側への突出量を少なくすることができる。
【００１２】
また、扉体３は矩形状の板材の４辺をヘミング曲げし、ヘミング部１８を背面側に垂直に折曲し隣接する２辺を溶接して形成され、箱体本体２の前面に開閉自在に蝶着されている。
【００１３】
このように、各部を構成する板材の端縁部をヘミング曲げしているので強度が向上し、従って板厚を薄くできるので箱体本体及び扉体の軽量化及び材料コストの低減が図れる。また、ヘミング曲げにより切断面が露出しないので錆が生じにくいし、怪我が防止できて安全性が向上する。
【００１４】
尚、接合部は一方側の板材だけをヘミング曲げして接合していればその接合構造について限定はなく、また、箱体本体及び扉体の形状、構成についても限定はなく、適宜に変更して実施することが可能である。
【図面の簡単な説明】
【００１５】
【図１】本発明に係る機器収納用箱体を示し、（ａ）は正面図、（ｂ）は平面図、（ｃ）は右側面図である。
【図２】本発明に係る機器収納用箱体を分解した側面図である。
【図３】図２のＡ−Ａ線断面図である。
【図４】図２のＢ部拡大図である。
【図５】図２のＣ部拡大図である。
【図６】図２のＤ部拡大図である。
【図７】図２のＥ部拡大図である。
【符号の説明】
【００１６】
１    機器収納用箱体
２    箱体本体
３    扉体
４    背面板
５    左右側面板
６    本体
７    上面板
８    底面板
９    ヘミング部
１１    ヘミング部
１２    ヘミング部
１８    ヘミング部
【図１】
2007019266.tif 000003
【図２】
2007019266.tif 000004
【図３】
2007019266.tif 000005
【図４】
2007019266.tif 000006
【図５】
2007019266.tif 000007
【図６】
2007019266.tif 000008
【図７】
2007019266.tif 000009